(57)【要約】  本発明のモジュールは、絶縁層上に導体パターンが形成された配線板と、前記導体パターン上に電極を介してフェイスダウンで実装された機能素子とを備え、前記配線板の機能素子実装位置の、機能素子の投影面よりも小さく、かつ、前記電極が接合される部位よりも内側の領域に、開口部が形成されており、前記機能素子及び前記配線板間の隙間と、前記開口部とが封止樹脂によって封止されている。
2009044863.tif 000002
【特許請求の範囲】
【請求項１】
絶縁層の一の面に導体のパターンが形成された配線板と、前記導体上にバンプを介してフェイスダウンで実装された機能素子とを備えるモジュールであって、
前記配線板の前記機能素子が実装された位置の、前記機能素子の投影面よりも小さく、かつ、前記バンプが前記導体に接合された部位よりも内側の領域に、前記絶縁層の厚さ方向に沿って形成された開口部と；
前記機能素子及び前記配線板間の隙間と、前記開口部とを封止する封止樹脂と；
を有することを特徴とするモジュール。
【請求項２】
請求項１に記載のモジュールであって、
前記封止樹脂は、前記開口部から前記絶縁層の他面側に突出し、かつ、前記開口部よりも広い領域まで広がった部位を有することを特徴とするモジュール。
【請求項３】
絶縁層の一の面に導体のパターンが形成され、前記導体にフェイスダウンで機能素子が実装される配線板であって、
前記機能素子の投影面よりも小さく、かつ、前記機能素子が前記導体と電気的に接合される部位よりも内側の領域に、前記絶縁層の厚さ方向に沿って開口部が形成されていることを特徴とする配線板。
【請求項４】
絶縁層の一の面に導体のパターンが形成された配線板と、前記導体上にバンプを介してフェイスダウンで実装された機能素子とを備え、前記配線板の前記機能素子が実装された位置の、前記機能素子の投影面よりも小さく、かつ、前記バンプが前記導体に接合された部位よりも内側の領域に、前記絶縁層の厚さ方向に沿って開口部が形成されており、前記機能素子及び前記配線板間の隙間と、前記開口部とが封止樹脂によって封止されているモジュールの製造方法であって、
前記配線板の前記導体上に、前記バンプを介して前記機能素子を実装する実装工程と；
前記機能素子及び前記配線板間の隙間と、前記開口部とを、前記封止樹脂によって封止する樹脂封止工程と；
を有することを特徴とするモジュールの製造方法。
【請求項５】
請求項４に記載のモジュールの製造方法であって、
前記樹脂封止工程で、前記開口部から前記絶縁層の他面側に突出し、かつ、前記絶縁層の他面側に、前記開口部よりも広い領域まで拡がった部位を形成するように、前記封止樹脂を注入することを特徴とするモジュールの製造方法。
【請求項６】
請求項４に記載のモジュールの製造方法であって、
前記樹脂封止工程で、前記機能素子の、少なくとも一組の対向する両脇から封止樹脂を注入することを特徴とするモジュールの製造方法。
【請求項７】
請求項４に記載のモジュールの製造方法であって、
前記樹脂封止工程で、前記開口部から封止樹脂を注入することを特徴とするモジュールの製造方法。
【請求項８】
請求項６に記載のモジュールの製造方法であって、前記樹脂封止工程で、前記絶縁層の他の面側を前記絶縁層の一の面側よりも陰圧として、前記封止樹脂を注入することを特徴とするモジュールの製造方法。
【請求項９】
請求項７に記載のモジュールの製造方法であって、前記樹脂封止工程で、前記絶縁層の一の面側を前記絶縁層の他の面側よりも陰圧として、前記封止樹脂を注入することを特徴とするモジュールの製造方法。
【請求項１０】
請求項８に記載のモジュールの製造方法であって、
前記樹脂封止工程は、
前記配線板を、前記配線板の他の面側がステージ側になるように、吸引孔が複数設けられた吸着ステージに載置する載置工程と；
前記吸引孔から吸引することで前記配線板を前記吸着ステージ上に固定する固定工程と；
吸引された状態で、前記機能素子の少なくとも一組の対向する両脇に前記封止樹脂を塗布し、前記機能素子及び前記配線板間の隙間と、前記開口部とを前記封止樹脂で充填する充填工程と；
を有することを特徴とするモジュールの製造方法。
【請求項１１】
請求項１０に記載のモジュールの製造方法であって、前記ステージの、前記開口部に対向する位置に、凹部が設けられていることを特徴とするモジュールの製造方法。
【請求項１２】
請求項９に記載のモジュールの製造方法であって、
前記樹脂封止工程は、
前記配線板を、前記機能素子がステージ側になるように、吸引孔が複数設けられた吸着ステージに載置する載置工程と；
前記吸引孔から吸引することで前記配線板を前記吸着ステージ上に固定する固定工程と；
吸引された状態で前記開口部から封止樹脂を塗布し、前記機能素子及び前記配線板間の隙間と、前記開口部とを前記封止樹脂で充填する充填工程と；
を有することを特徴とするモジュールの製造方法。
【請求項１３】
請求項１２に記載のモジュールの製造方法であって、前記ステージの、前記機能素子に対抗する位置に、凹部が設けられていることを特徴とするモジュールの製造方法。
【発明の詳細な説明】
【技術分野】
【０００１】
本発明は、モジュール、配線板、及びモジュールの製造方法に関し、特に、配線板に機能素子をフェイスダウンで実装し、機能素子と配線板との隙間を封止樹脂で封止したモジュールに関する。
本願は、２００７年１０月０３日に、日本国に出願された特願２００７−２５９４６７号に基づき優先権を主張し、その内容をここに援用する。
【背景技術】
【０００２】
近年、電子機器システムは、軽量化、薄型化、短小化、小型化、低消費電力化、多機能化、及び高信頼性化の要求がますます高まってきている。さらに、高集積化に伴い、レントの法則にしたがって、超多端子、かつ狭ピッチの半導体素子などの機能素子が出現してきている。【０００３】
他方、これらの機能素子を実装する工程では、この超高速、超発熱、多端子かつ狭ピッチの機能素子をいかに高密度に実装し、高信頼性を保障するかという問題に直面し、その実装形態は複雑化及び多様化してきている。【０００４】
特に、電子機器の高機能化の進展に伴い、使用される部品に関しても高機能化に対応できることが求められている。プリント配線板などの配線板や、その上に搭載される半導体素子などの機能素子に関しても、このことは例外ではない。【０００５】
この要求に対して、配線板に求められる技術は、回路の高密度化である。その代表的な手段としては、回路のファインピッチ化が挙げられる。特に、LCD(Liquid  Crystal  Display)用COF（Chip  On  Film）基板では、すでに３５μmピッチといった狭ピッチの回路が実用化されている。【０００６】
また、上述のように、半導体素子に求められる技術としては、多ピン化が挙げられる。この多ピン化に伴い、電極のピッチも狭ピッチ化が求められている。【０００７】
半導体素子をプリント配線板に実装する技術として、プリント配線板上に半導体素子をフェイスアップで搭載し、金ワイヤーによって両者の電極を接続するワイヤーボンディングがある。しかしながら、狭ピッチの電極同士の接続では、ワイヤーの撚れによってワイヤー同士が接触し、ショートが生じるといった問題がある。また、半導体素子の外周よりも外側で、ワイヤーによりプリント配線板と半導体素子とが電気的に接続されることから、接続には所定のスペースが必要となり、高密度の実装には向いていない。【０００８】
半導体素子をプリント配線板に実装する他の技術としては、TAB（Tape  Automated  Bonding）法（フィルムキャリア法とも呼ばれる）がある。この方法は、自動化に適しており、量産に向くが、TABチップの供給体制に問題がある。そのため、限られたチップしか入手できない。【０００９】
そこで、上記問題を解決する手段として、半導体素子をフェイスダウンでプリント配線板と接続する、フリップチップボンディングが実用化されている。この方法は、プリント配線板の回路と半導体素子の電極とを直接、電気的に接続することから、ショートが生じ難く、ワイヤーボンディングに比べて狭ピッチ化に対応しやすい。また、接合点は半導体素子の外周よりも内側であるため、省スペースでプリント配線板に実装できる。そのため、高密度実装に向いている技術である。特に、COFやTABのプリント配線板と半導体素子との接合には、主にこの方法が用いられている。【００１０】
フリップチップボンディングの手法としては、ＡＣＦ（Anisotropic  Conductive  Film、異方性導電フィルム）によって接続する方法、半導体素子とプリント配線板との電極を、はんだによって接続する方法、半導体素子とプリント配線板との電極を、導電性ペーストで接続する方法、半導体素子の金バンプとプリント配線板上のすずメッキ層とを、熱圧着で接合する方法、半導体素子の金バンプとプリント配線板上の金メッキ層とを、熱圧着、もしくは超音波印加によって接合する方法、などが挙げられる。【００１１】
ＡＣＦは、電気的な接続と、半導体素子及びプリント配線板間の樹脂封止とが同時に実施できる。しかし、上述したその他の手法の場合、上記電極同士を接合した後に、封止樹脂で半導体素子とプリント配線板との隙間を充填する必要がある。図1は、フリップチップボンディング後の樹脂封止の方法（プリント配線板の表面視図）を示す図であり、図２は、この方法で得られるモジュール１００を模式的に示した断面図である。この樹脂封止の方法は、図1に示すように、半導体素子１０５の一側面１０５ａ側に封止樹脂１０７を塗布し、プリント配線板１０３の回路の間隙に生じる毛細管現象によって、半導体素子１０５の下に封止樹脂１０７を流入させ、図２に示すようにプリント配線板１０３と半導体素子１０１との間、及びバンプ１０４の周囲に封止樹脂１０７を充填する方法である（非特許文献１参照）。
【非特許文献１】ＣＯＦ実装の高密度化における材料・工法の問題点とその対策  尾崎史郎ら共著  技術情報協会  ２００３年、第三章第１節  ｐ．１４３−ｐ．１４９
【発明の開示】
【発明が解決しようとする課題】
【００１２】
しかしながら、上述した方法で半導体素子１０５とプリント配線板１０３との隙間を樹脂封止１０７で封止する際に、しばしば封止樹脂１０７に気泡が混入することがある。この気泡が、半導体素子１０５の電極とプリント配線板１０３の電極との間に配される場合、この気泡によって、導通抵抗が上昇し、導通不良が生じてしまう虞がある。さらに、この気泡からクラックが発生し、電極間の剥離が生じる虞がある。また、半導体素子１０５、プリント配線板１０３、及び封止樹脂１０７の熱膨張係数の差によって、この気泡から次第に剥離が進行し、電極の剥離が生じる虞がある。【００１３】
気泡が混入することなく封止樹脂１０７を充填するためには、プリント配線１０３板上における半導体素子１０５の投影面積は、できる限り小さいことが好ましい。その理由は、半導体素子１０５が小さいほど、封止領域も小さくて済むために、気泡が混入する確率を低減できるという点と、半導体素子１０５の脇に封止樹脂１０７を塗布して流入させるに当たって、塗布した場所から流入させる必要のある場所までの距離が小さくて済むという点とにある。【００１４】
しかしながら、特に高機能化が要求されるような半導体素子においては、電極数を多くする必要から、半導体素子を小型化することが難しく、上述のような課題を克服する必要がある。【００１５】
本発明は、上述の背景技術に鑑みてなされたものであり、半導体素子のサイズによらずに気泡の混入確率が低減されたモジュールと、このモジュールの製造方法と、このモジュールに含まれる配線板との提供を目的とする。
【課題を解決するための手段】
【００１６】
本発明は、上記課題を解決して係る目的を達成するために以下の手段を採用した。
（１）本発明に係るモジュールは、絶縁層の一の面に導体のパターンが形成された配線板と、前記導体上にバンプを介してフェイスダウンで実装された機能素子とを備えるモジュールであって、前記配線板の前記機能素子が実装された位置の、前記機能素子の投影面よりも小さく、かつ、前記バンプが前記導体に接合された部位よりも内側の領域に、前記絶縁層の厚さ方向に沿って形成された開口部と；  前記機能素子及び前記配線板間の隙間と、前記開口部とを封止する封止樹脂と；を有する。【００１７】
上記（１）に記載のモジュールによれば、絶縁層の機能素子が実装される位置の、機能素子の投影面よりも小さく、かつ、バンプが導体に接合される部位よりも内側の領域に、開口部が形成されている。そのため、配線板と機能素子とが重なる領域が小さくなり、配線板と機能素子との間の封止樹脂に気泡が混入する確率を低減させることが可能である。ゆえに、気泡による導通抵抗の上昇や、配線板と機能素子との剥離の生じ難いモジュールを提供できる。また、気泡の混入の有無を、開口部から目視で簡便に確認できる。そのため、保管中や輸送前後のモジュール、または使用中のモジュールにおいて、封止樹脂中の気泡の有無を容易に確認することができる。【００１８】
（２）前記封止樹脂は、前記開口部から前記絶縁層の他面側に突出し、かつ、前記開口部よりも広い領域まで広がった部位を有するのが好ましい。【００１９】
上記（２）の場合、モジュールに外的衝撃が加わった際には、その衝撃がこの部位により緩和される。そのため、外的衝撃に対する耐性が向上する。【００２０】
（３）本発明に係る配線板は、絶縁層の一の面に導体のパターンが形成され、前記導体にフェイスダウンで機能素子が実装される配線板であって、前記機能素子の投影面よりも小さく、かつ、前記機能素子が前記導体と電気的に接合される部位よりも内側の領域に、前記絶縁層の厚さ方向に沿って開口部が形成されている。【００２１】
上記（３）に記載の配線板によれば、機能素子を実装して封止する時に、仮に気泡が封止樹脂中に混入しても、この気泡は開口部から除去できる。したがって、本発明の配線板を用いることで、封止樹脂中に、気泡の存在し難いモジュールを簡便に得ることができる。また、開口部から気泡の有無を確認しながら、封止樹脂による封止ができるため、作業性の向上と、歩止りの向上とが図れる。【００２２】
（４）本発明に係るモジュールの製造方法は、絶縁層の一の面に導体のパターンが形成された配線板と、前記導体上にバンプを介してフェイスダウンで実装された機能素子とを備え、前記配線板の前記機能素子が実装された位置の、前記機能素子の投影面よりも小さく、かつ、前記バンプが前記導体に接合された部位よりも内側の領域に、前記絶縁層の厚さ方向に沿って開口部が形成されており、前記機能素子及び前記配線板間の隙間と、前記開口部とが封止樹脂によって封止されているモジュールの製造方法であって、前記配線板の前記導体上に、前記バンプを介して前記機能素子を実装する実装工程と；前記機能素子及び前記配線板間の隙間と、前記開口部とを、前記封止樹脂によって封止する樹脂封止工程と；を有する。【００２３】
上記（４）に記載のモジュールの製造方法によれば、開口部が形成されているため、機能素子と配線板とが重なる領域が小さくなり、気泡が混入する確率を低減させることが可能である。仮に気泡が封止樹脂中に混入した場合でも、この気泡は開口部から除去できる。したがって、歩止りの向上が図れ、封止樹脂中に気泡の存在し難いモジュールを簡便に得ることができる。また、気泡の有無を開口部から確認しながら封止樹脂による封止ができるため、作業性の向上が図れる。【００２４】
（５）前記樹脂封止工程で、前記開口部から前記絶縁層の他面側に突出し、かつ、前記絶縁層の他面側に、前記開口部よりも広い領域まで拡がった部位を形成するように、前記封止樹脂を注入するのが好ましい。【００２５】
上記（５）の場合、部位を形成することにより、外的衝撃に対する耐性の向上を図った、モジュールを作製できる。【００２６】
（６）前記樹脂封止工程で、前記機能素子の、少なくとも一組の対向する両脇から封止樹脂を注入するのが好ましい。【００２７】
上記（６）の場合、両脇から注入された封止樹脂が機能素子の下で出会う位置で気泡が封入される虞があるが、開口部から、この気泡を取り除くことができる。【００２８】
（７）前記樹脂封止工程で、前記開口部から封止樹脂を注入するのが好ましい。【００２９】
上記（７）の場合、開口部から機能素子の四辺に向かって封止樹脂が流れるため、気泡が混入した場合であっても、この気泡を半導体素子の四辺で排出することができる。また、開口部に封止樹脂を配置できるため、封止樹脂を適切な位置に配置する時の位置決めが容易となる。【００３０】
（８）前記樹脂封止工程で、前記絶縁層の他の面側を前記絶縁層の一の面側よりも陰圧として、前記封止樹脂を注入するのが好ましい。【００３１】
上記（８）の場合、機能素子の少なくとも一組の対向する両脇から開口部に封止樹脂が流入し、封止樹脂が機能素子及び配線板間の隙間と、開口部とに充填されるのを助長することができる。そのため、製造時間の短縮化を図ることができる。【００３２】
（９）前記樹脂封止工程で、前記絶縁層の一の面側を前記絶縁層の他の面側よりも陰圧として、前記封止樹脂を注入するのが好ましい。【００３３】
上記（９）の場合、封止樹脂が開口部から機能素子の四辺に流入し、機能素子及び配線板間の隙間と、開口部とが封止樹脂で充填されるのを助長することができる。そのため、製造時間の短縮化を図ることができる。【００３４】
（１０）前記樹脂封止工程は、前記配線板を、前記配線板の他の面側がステージ側になるように、吸引孔が複数設けられた吸着ステージに載置する載置工程と；前記吸引孔から吸引することで前記配線板を前記吸着ステージ上に固定する固定工程と；吸引された状態で、前記機能素子の少なくとも一組の対向する両脇に前記封止樹脂を塗布し、前記機能素子及び前記配線板間の隙間と、前記開口部とを前記封止樹脂で充填する充填工程と；を有するのが好ましい。【００３５】
上記（１０）の場合、吸引することで、簡便に前記絶縁層の他の面側を前記絶縁層の一の面側よりも陰圧とすることができる。また、効果的に気泡を取り除くことができる。【００３６】
（１１）前記ステージの、前記開口部に対向する位置に、凹部が設けられているのが好ましい。【００３７】
上記（１１）の場合、封止樹脂を充填する際に、この封止樹脂がステージに付着することを防止できる。【００３８】
（１２）前記樹脂封止工程は、前記配線板を、前記機能素子がステージ側になるように、吸引孔が複数設けられた吸着ステージに載置する載置工程と；前記吸引孔から吸引することで前記配線板を前記吸着ステージ上に固定する固定工程と；  吸引された状態で前記開口部から封止樹脂を塗布し、前記機能素子及び前記配線板間の隙間と、前記開口部とを前記封止樹脂で充填する充填工程と；を有するのが好ましい。【００３９】
上記（１２）の場合、吸引することで、簡便に絶縁層の一の面側を絶縁層の他の面側よりも陰圧とすることができる。また、効果的に気泡を取り除くことができる。【００４０】
（１３）前記ステージの、前記機能素子に対抗する位置に、凹部が設けられているのが好ましい。【００４１】
上記（１３）の場合、機能素子を凹部内に収納することができ、配線板とステージとの密着性を高めることができる。
【発明の効果】
【００４２】
本発明によれば、用いる機能素子のサイズによらず、気泡の混入する確率が低減されたモジュール等が得られる。
【図面の簡単な説明】
【００４３】
【図１】図１は、従来のフリップチップボンディング後の、一般的な樹脂封止方法を示す図である。
【図２】図２は、プリント配線板へ半導体素子を実装して得られた従来のモジュールを模式的に示す断面図である。
【図３】図３は、本発明の第１実施形態に係るモジュールを模式的に示した断面図である。
【図４】図４は、本発明の第２実施形態に係るモジュールを模式的に示した断面図である。
【図５】図５は、本発明の一実施形態に係る配線板を模式的に示した断面図である。
【図６Ａ】図６Ａは、本発明のモジュールの製造方法（第一の製造方法）の工程を示す図である。
【図６Ｂ】図６Ｂは、本発明のモジュールの製造方法（第一の製造方法）の工程を示す図である。
【図６Ｃ】図６Ｃは、本発明のモジュールの製造方法（第一の製造方法）の工程を示す図である。
【図７Ａ】図７Ａは、本発明のモジュールの製造方法（第一の製造方法）の工程を示す図である。
【図７Ｂ】図７Ｂは、本発明のモジュールの製造方法（第一の製造方法）の工程を示す図である。
【図８Ａ】図８Ａは、本発明のモジュールの製造方法（第一の製造方法）の工程を示す図である。
【図８Ｂ】図８Ｂは、本発明のモジュールの製造方法（第一の製造方法）の工程を示す図である。
【図８Ｃ】図８Ｃは、本発明のモジュールの製造方法（第一の製造方法）の工程を示す図である。
【図９】図９は、本発明のモジュールの製造方法（第一の製造方法）の工程を示す図である。
【図１０Ａ】図１０Ａは、本発明のモジュールの製造方法（第二の製造方法）の工程を示す図である。
【図１０Ｂ】図１０Ｂは、本発明のモジュールの製造方法（第二の製造方法）の工程を示す図である。
【図１０Ｃ】図１０Ｃは、本発明のモジュールの製造方法（第二の製造方法）の工程を示す図である。
【図１０Ｄ】図１０Ｄは、本発明のモジュールの製造方法（第二の製造方法）の工程を示す図である。
【図１１Ａ】図１１Ａは、比較例１のモジュールの製造方法を示す図である。
【図１１Ｂ】図１１Ｂは、比較例１のモジュールの製造方法を示す図である。
【図１１Ｃ】図１１Ｃは、比較例１のモジュールの製造方法を示す図である。
【図１２Ａ】図１２Ａは、比較例２のモジュールの製造方法を示す図である。
【図１２Ｂ】図１２Ｂは、比較例２のモジュールの製造方法を示す図である。
【図１２Ｃ】図１２Ｃは、比較例２のモジュールの製造方法を示す図である。
【符号の説明】
【００４４】
１                    絶縁層
２                    導体
３                    配線板
４                    バンプ
５                    機能素子
６                    開口部
７                    封止樹脂
８                    ソルダーレジスト
１０（１０Ａ，１０Ｂ）  モジュール
２１                    ステージ
２２                    吸引孔
【発明を実施するための最良の形態】
【００４５】
以下、本発明の実施の形態について図面を参照しながら詳細に説明する。【００４６】
[モジュール]
＜第１実施形態＞
図３は、本発明の第１実施形態に係るモジュール１０Ａ（１０）を模式的に示した断面図である。同モジュール１０は、絶縁層１の一の面１ａに導体２がパターン形成された配線板３と、導体２上にバンプ４を介してフェイスダウンで実装された機能素子５とから概略構成されている。配線板３の機能素子５が実装される位置の、機能素子５の投影面よりも小さく、かつ、電極４が導体２に接合される部位よりも内側の領域に、開口部６が形成されている。また、機能素子５及び配線板３間の隙間と、開口部６とは、封止樹脂７によって封止されている。【００４７】
絶縁層１は、例えば、ポリイミド等の樹脂や、SiO2、BCB、Al2O3、結晶化ガラス等からなる。電気的特性及び機械的特性の信頼性が高くなるという利点からはガラスエポキシが好ましい。ローコストとなる利点からは紙フェノールの片面配線板が好ましい。さらに、高耐熱性からは、BTレジンが好ましい。高速素子実装には、PPEやポリイミドが特に好ましい。【００４８】
導体２としては、例えば、Cu、Al、Au、及びNiや、これらの合金など様々な材料が適用できる。【００４９】
配線板３としては、様々な配線板を適用することができる。その例としては、プリント配線板、有機配線板、リジッド配線板、紙基材銅張積層板、ガラス基材銅張積層板、耐熱熱可塑性配線板、コンポジット銅張積層板、フレキシブル基板、ポリエステル銅張フィルム、ガラス布・エポキシ銅張積層板、ポリイミド銅張フィルム、無機配線板、セラミック配線板、アルミナ系配線板、高熱伝導系配線板、低誘電率系配線板、低温焼結配線板、金属配線板、金属ベース配線板、メタルコア配線板、ホーロー配線板、複合配線板、抵抗・コンデンサ内臓配線板、樹脂／セラミック配線板、樹脂／シリコン配線板、ガラス基板、シリコン基板、ダイヤモンド基板、紙フェノール基板、紙エポキシ基板、ガラスコンポジット基板、ガラスエポキシ基板、テフロン（登録商標）基板、アルミナ基板、コンポジット基板、有機材料と無機材料との複合基板等が挙げられる。また、その構造は、片面基板、両面基板、２層基板、多層基板、ビルドアップ基板などでもよい。【００５０】
機能素子５としては、様々な機能素子を適用することができる。その例としては、半導体素子、集積回路、抵抗器、コンデンサ等の電子部品、半導体集積回路素子、電子機能素子、光機能素子、量子化機能素子、トンネル効果や光のメモリ効果などを利用する電子素子や光素子、分子集合体や人工超格子の量子効果あるいは生体分子構造を利用するスイッチング、記憶、増幅、変換などの回路素子、及び物質検出素子等が挙げられる。また、その構造は、ベアチップ、シングルチップパッケージ、マルチチップパッケージなどでもよい。【００５１】
機能素子５と導体２とを電気的に接続するバンプ４としては、様々なものが適用できる。その例としては、金バンプや、はんだバンプ等が挙げられ、これらはAg、Ni、Cuなどを材質とするピラーを含んでいてもよい。また、材料は、硬ろう、軟ろうであってもよく、その例として、Mgろう、Alろう、Cu-Pろう、Auろう、Cu-Cu-Znろう、Pdろう、Niろう、Ag-Mnろう、Sn-Pb、Sn-Zn、Sn-Ag、Sn-Sb、Cd-Zn、Pb-Ag、Cd-Ag、Zn-Al、Sn-Bi等が挙げられる。【００５２】
導体２の表面には、例えば、すずや金等によるメッキが施されていてもよい。この場合、メッキと、機能素子５の電極に配されたバンプ４とが接合される。このメッキは、バンプ４とのぬれ性等に応じて、適宜選択して用いることができる。【００５３】
樹脂封止７としては、様々なものが適用できる。例えば、クレゾール、ノボラック系、ビスフェノールＡ型系、及び脂環型系などのエポキシ樹脂等が挙げられる。封止樹脂７には、さらに、硬化剤、  触媒（硬化促進剤）、カップリング材、離型材、難燃助剤、着色剤、低応力添加剤、密着性付与剤、可塑性付与剤、シリカなどのフィラー（充填剤）などが含まれていてもよい。【００５４】
本発明のモジュール１０には、絶縁層１の機能素子５が実装される位置の、機能素子５の投影面よりも小さく、かつ、電極が導体２に接合される部位よりも内側の領域に、開口部６が形成されている。そのため、配線板３と機能素子５とが重なる領域が小さくなり、封止樹脂７に気泡が混入する確率を低減させることができる。ゆえに、気泡による導通抵抗の上昇や、配線板３と機能素子５との剥離の生じ難いモジュール１０を提供できる。また、気泡の混入の有無を、開口部６から目視で簡便に確認できる。そのため、保管中や輸送前後のモジュール１０、または使用中のモジュール１０において、封止樹脂７中の気泡の有無を容易に把握することができる。仮に封止樹脂７中に気泡が混入し、気泡の膨張、及び封止樹脂７の膨張が生じた場合でも、開口部６により、この膨張による応力を緩和することができる。【００５５】
なお、絶縁層１（例えば、フィルム状の絶縁体（ベースフィルム）等）の一の面１ａに接着層を形成し、さらにその上に導体２を形成した構造とし、バンプ４が接合される領域以外は絶縁体により被覆されて保護されるような配線板３であっても、本発明は適用できる。【００５６】
また、導体２が、機能素子５の下のかなり内側まで伸びている場合には、導体２も貫通する開口部が形成されていることが望ましい。一方、機能素子５の下の外側で止まっている場合には、導体２は貫通しなくてもよい。【００５７】
＜第２実施形態＞
図４は、本発明の第２実施形態に係るモジュール１０Ｂ（１０）を模式的に示した断面図である。本実施形態のモジュール１０Ｂが第１実施形態のモジュール１０Ａと異なる点は、封止樹脂７が、開口部６から絶縁層１の他面１ｂ側に突出し、かつ、開口部６よりも広い領域まで広がった部位７ａを有する点である。【００５８】
このように封止樹脂７が部位７ａを有していることで、モジュール１０Ｂに外的衝撃が加わった際には、その衝撃がこの部位７ａにより緩和される。そのため、外的衝撃に対する耐性が向上する。ゆえに、本実施形態のモジュール１０Ｂを用いれば、外的衝撃による損傷が生じ難い電子機器等を提供できる。【００５９】
図５は、本発明の配線板３を模式的に示した断面図である。本発明の配線板３は、絶縁層１の一の面１ａに導体２のパターンが形成され、フェイスダウンで機能素子５が実装される。また、機能素子５の投影面よりも小さく、かつ、機能素子５が導体２と電気的に接合される部位よりも内側の領域に、絶縁層１の厚さ方向に沿って開口部６が配されている。【００６０】
絶縁層１、導体２、及び開口部６は、上述したモジュール１０と同様である。【００６１】
本発明の配線板３によれば、機能素子５が実装される位置の、機能素子５の投影面よりも小さく、かつ、バンプ４が接合される部位よりも内側の領域に、開口部６が絶縁層１に形成されている。そのため、本発明の配線板３に機能素子５を実装し、封止樹脂７で機能素子５及び配線板３間の隙間と、開口部６とを封止する時に、仮に気泡が封止樹脂７中に混入しても、この気泡は開口部６から除去できる。したがって、本発明の配線板３を用いれば、機能素子５と配線板３との間の封止樹脂７中に、気泡の存在し難いモジュールを簡便に得ることができる。また、開口部６から気泡の有無を確認しながら封止樹脂７の封止ができるため、歩止りの向上が図れる。【００６２】
[モジュールの製造方法]
本発明のモジュールの製造方法について、その工程を説明する。
図６Ａ，６Ｂ，６Ｃ、図７Ａ，７Ｂ、図８Ａ，８Ｂ，８Ｃ、及び図９は、本発明のモジュールの製造方法（第一の製造方法）を模式的に示す工程図である。図６Ａと図７Ａは上面図、図６Ｂと図７Ｂは、それぞれ図６Ａ，７ＡにおけるＬ−Ｌ断面図である。【００６３】
まず、図６Ａに示すように、絶縁層１の一の面１ａに導体２がパターン形成された配線板３と、機能素子５とを準備する。
配線板３は、導体２を、例えばメッキ法、印刷法、フォトリソグラフィー法等、従来公知の方法を用いて、絶縁層１の一の面１ａに形成することで得られる。必要に応じて、導体２の表面にメッキ処理を行なう。配線板３の、機能素子５が実装されるエリア外は、ソルダーレジスト８によって導体２を保護してもよい。本実施形態では、ソルダーレジスト８を配した場合について記載する。配線板３（絶縁層１）には、機能素子５が実装される位置の、機能素子５の投影面よりも小さく、かつ、バンプが導体２に接合される部位よりも内側の領域に、開口部６を形成する。図６Ｃに、配線板３上に機能素子５を投影した場合の、機能素子５の投影面５ａの位置を破線で示す。
一方、機能素子５の電極には、バンプを形成する。【００６４】
図６Ｂに示すように、配線板３の断面構造は、下から順に、絶縁層１、導体２、ソルダーレジスト８の多層構造となっている。【００６５】
次に、図７Ａ及び図７Ｂに示すように、機能素子５と配線板３（導体２）とが、バンプ４を介して電気的に接続されるように、配線板３上に、機能素子５を実装する。【００６６】
機能素子５のバンプ４と導体２との電気的な接続は、例えばバンプ４として金バンプ４を用い、導体２の表面をすずメッキした場合、金とすずとが共晶し、両者が接合することで得られる。接合方法については、導体２の表面の処理を金メッキとし、金バンプ４と導体２の金メッキとを熱圧着、もしくは、超音波を印加して接合してもよい。また、金はんだによる接合、C4技術(Controlled  Collapse  Chip  Connection)による接合でもよい。【００６７】
次に、図８Ａに示すように、機能素子５が実装された配線板３を、吸引用の孔（吸引孔）２２が複数設けられたステージ２１に載置する。ステージ２１は、配線板３の開口部６周辺を凹ませた凹部２１ａを有する。この凹部２１ａは、その後の封止樹脂の塗布によって、封止樹脂がステージ２１に付着することを防止する。
機能素子５が実装された配線板３をステージ２１に載置する際、絶縁層１の他の面１ｂと、ステージ２１の凹部２１ａが形成された面２１ｂとが接するようにする。
その後、図８Ａに矢印で示す方向に、吸引孔２２から雰囲気ガスを吸引することで、機能素子５が実装された配線板３を、ステージ２１上に固定する。このように吸引することで、機能素子５が実装された絶縁層１の一の面１ａに対して、絶縁層１の他の面１ｂ側、及びステージ２１の凹部２１ａが陰圧となり、雰囲気ガスの流れは、機能素子５側からステージ２１の凹部２１ａ側に向かうことになる。【００６８】
次に、図８Ｂに示すように、機能素子５の配線板３と対向する辺５ａ，５ｂの両脇に、封止樹脂７を塗布する。すると、封止樹脂７は、図８Ｂに示す矢印の方向の気流に従って、機能素子５の下に侵入する。しばらくこの状態で放置することで、図８Ｃに示すように、機能素子５及び配線板３間の隙間９と、開口部６と、バンプ４の周辺とを、封止樹脂７で充填することができる。
用いる封止樹脂７の粘度としては、例えば、常温での粘度が０．５Ｐａ・ｓ以上、３．０Ｐａ・ｓ以下である。【００６９】
次に、図９に示すように、ステージ２１の吸引を解除し、ステージ２１から機能素子５が実装された配線板３を取り除くことで、本発明のモジュール１０が得られる。【００７０】
本発明のモジュールの第一の製造方法によれば、配線板３（絶縁層１）に開口部６が形成されているため、機能素子５と配線板３とが重なる領域が小さくなり、気泡が混入する確率を低減できる。仮に気泡が封止樹脂７中に混入しても、この気泡は開口部６から除去できる。したがって、歩止りの向上が図れ、封止樹脂７中に気泡の存在し難いモジュール１０を簡便に作製できる。また、気泡の有無を開口部６から確認しながら封止樹脂７による封止ができるため、作業性の向上が図れる。
また、封止樹脂７を機能素子５の脇から注入することで、封止樹脂７が機能素子５の下で出会う際に気泡が封入される虞があるが、本発明のモジュールの製造方法によれば、開口部６から、この気泡を取り除くことができる。
さらに吸引した状態で封止樹脂７を充填することで、簡便に絶縁層１の他の面１ｂ側を絶縁層１の一の面１ａ側よりも陰圧とすることができ、封止樹脂７が機能素子５の両辺５ａ，５ｂから開口部６に流入し、機能素子５及び配線板３間の隙間９と、開口部６とが封止樹脂７で充填されるのを助長することができる。ゆえに、封止樹脂７の充填に要する時間の短縮化を図ることができる。特に、吸引することで封止樹脂７を広範囲に効率よく流入させることができる。そのため、機能素子５が大型となった場合においても、本発明の製造方法を適用することで、容易に封止樹脂７中に気泡が混入し難いモジュールを作製することができる。また、真空状態で吸入をし、脱気すれば、より効果的に気泡の除去を行なうことができる。【００７１】
図１０Ａ〜１０Ｄは、本発明のモジュールの製造方法の他の一例（第二の製造方法）を模式的に示す断面工程図である。
配線板３上に機能素子５を実装する工程は、上述した第一の製造方法と同様であり、図６Ａ，６Ｂ，６Ｃ及び図７Ａ，７Ｂに記載されている工程と同様であるため省略する。【００７２】
まず、図１０Ａに示すように、機能素子５が実装された配線板３を第一の製造方法からは表裏反転し、機能素子５がステージ２１側になるように、吸引孔２２が複数設けられたステージ２１に載置する。ステージ２１は、少なくとも機能素子５と対向する部位を凹ませた凹部２１ａを有する。この凹部２１ａは、機能素子５を凹部２１ａ内に収納することができ、配線板３とステージ２１との密着性を高めることができる。
その後、図１０Ａに矢印で示す方向に、吸引孔２２から雰囲気ガスを吸引することにより、機能素子５が実装された配線板３をステージ２１上に固定する。このように吸引することで、絶縁層１の他の面１ｂ側、及び開口部６に対して、絶縁層１の一の面１ａ側、及びステージ２１の凹部２１ａが陰圧となり、雰囲気ガスの流れは、配線板３の開口部６からステージ２１の凹部２１ａ側に向かうことになる。【００７３】
次に、図１０Ｂに示すように、配線板３の開口部６に封止樹脂７を塗布する。
すると、封止樹脂７は、図中の矢印に示す方向の気流に従って機能素子５と導体２との間に侵入する。しばらくこの状態で放置することで、図１０Ｃに示すように、機能素子５及び配線板３間の隙間と、開口部６と、バンプ４の周辺とを、封止樹脂７で充填することができる。
用いる封止樹脂の粘度としては、例えば、常温での粘度が０．５Ｐａ・ｓ以上、７．０Ｐａ・ｓ以下である。【００７４】
次に、図１０Ｄに示すように、ステージ２１の吸引を解除し、ステージ２１から機能素子５が実装された配線板３を取り除くことで、本発明のモジュール１０が得られる。【００７５】
本発明のモジュールの第二の製造方法によれば、開口部６に封止樹脂７を配置できるため、機能素子５の脇に封止樹脂７を置く第一の製造方法に比べ、封止樹脂７を適切な位置に配置する際の位置決めが容易である。また、封止樹脂７を機能素子５よりも鉛直方向で上側に配置して充填するため、気泡が上方向に移動する。そのため、気泡は、バンプ４と導体２との電気的な接続部分から離れた部位に移動し、開口部６から容易に除去できる。したがって、歩止りの向上が図れ、封止樹脂７中に気泡の存在し難いモジュール１０を簡便に作製できる。また、気泡の有無を開口部６から確認しながら封止樹脂７による封止ができるため、作業性の向上が図れる。
また、吸引した状態で封止樹脂７を充填することで、簡便に絶縁層１の一の面１ａ側を絶縁層１の他の面１ｂ側よりも陰圧とすることができる。そのため、封止樹脂７が開口部６から機能素子５の両辺５ａ，５ｂに流入し、機能素子５及び配線板３間の隙間９と、開口部６とが封止樹脂７で充填されるのを助長することができる。ゆえに、封止樹脂７の充填に要する時間の短縮化を図ることができる。【００７６】
特に、本実施形態の第二の製造方法では、第一の製造方法と比較し、封止樹脂７の塗布時間を低減させることができる。第一の製造方法では、封止樹脂７が機能素子５と導体２との間に侵入した後に、機能素子５上を拡がり、開口部６までの隙間が充填される。そのめ、開口部６までの範囲を充填するのに必要な量の封止樹脂が移動するまで、時間を要する。これに対し、第二の製造方法では、封止樹脂７は、機能素子５上を拡がった後、機能素子５と導体２との間に侵入していく。そのため、第一の製造方法よりも、封止樹脂７の充填時間を短縮させることができる。
また、吸引することで封止樹脂７を広範囲に簡便に流入させることができる。そのため、機能素子５が大型となった場合においても、本発明の製造方法を適用することで、容易に封止樹脂７中に気泡が混入し難いモジュールを作製することができる。また、真空状態で吸入をし、脱気すれば、より効果的に気泡の除去を行なうことができる。【００７７】
上述した第一の製造方法、及び第二の製造方法において、樹脂封止工程で、開口部６から絶縁層１の他面１ｂ側に突出し、かつ、絶縁層１の他面１ｂ側に、開口部６よりも広い領域まで拡がった部位７ａを形成するように、封止樹脂７を注入するのが好ましい。部位７ａは、封止樹脂７を充填する時間や、雰囲気ガスを吸引する強さ等を調節することで、簡便に形成することができる。部位７ａを形成することにより、外的衝撃に対する耐性の向上を図った、第２実施形態のモジュール１０Ｂを作製できる。【００７８】
封止樹脂７を、機能素子５及び配線板３間の隙間と、開口部６とに充填して封止する方法は、上述した方法以外に、様々なものが適用できる。例えば、毛細管現象などを利用して注入する方法や、封止樹脂７を直接埋め込む方法だけでなく、例えば、キャスティング法、コーティング法、ディッピング法、ポッティング法、流動侵漬法等によって封止してもよい。開口部６が設けられていることで、より効果的に気泡の除去が行なる。
【実施例】
【００７９】
［実施例１］
図３に示す本発明のモジュールを作製した。
まず、４０μｍ厚のポリイミドを絶縁層とし、厚さ１８μｍの導体をパターン形成して回路としたプリント配線板を作製した。次に、絶縁層の機能素子が実装される位置に、１４．５ｍｍ×１４．５ｍｍの開口部を形成した。その後、開口部が形成された配線板上に、高さ１５μｍの金バンプが電極に形成された、外形１５ｍｍ×１５ｍｍの半導体素子を実装した。次いで、半導体素子が実装された配線板を、図６Ａに示すように、吸引孔が複数設けられたステージに載置し、図８Ａに矢印で示す方向に吸引孔から吸引することで、配線板をステージ上に固定した。次に、図８Ｂに示すように、配線板上、及び半導体素子の配線板と対向する辺の両脇に、常温での粘度が１．５Ｐａ・ｓの封止樹脂を塗布した。すると、封止樹脂は、図８Ｂに示す矢印の方向の気流に従って、機能素子の下に侵入し、しばらくこの状態で放置することで、図８Ｃに示すように、機能素子と配線板との間、開口部、及び金バンプの周辺が封止樹脂で充填され、図３に示す実施例のモジュールが得られた。
上記実施例のモジュールを５サンプル作製し、目視によりそれぞれの封止樹脂中における気泡の混入を確認した。その結果、５サンプルとも、封止樹脂内に気泡の混入は観察されなかった。【００８０】
［比較例１］
図１１Ａ〜１１Ｃに示す方法で、比較例１のモジュール１１０を作製した。
まず、図１１Ａに示すように、４０μｍ厚のポリイミドを絶縁層１１１とし、厚さ１８μｍの導体１１２をパターン形成して回路としたプリント配線板１１３を作製した。次に、このプリント配線板１１３上に、高さ１５μｍの金バンプ１１４が電極に形成された、外形１５ｍｍ×１５ｍｍの半導体素子１１５を実装した。次いで、図１１Ｂに示すように、半導体素子１１５の１辺１１５ａの脇に、粘度１．５Ｐａ・ｓの封止樹脂１１７を塗布した。
すると、図１１Ｃに示すように、プリント配線板１１３の導体１１２間の毛細管現象により、直近のバンプ１１４ａ周辺を封止樹脂１１７により封止することには成功したが、対向するもう片方の１辺１１５ｂ側までは、封止樹脂１１７が到達しなかった。【００８１】
［比較例２］
図１２Ａ〜１２Ｃに示す方法で、比較例２のモジュール１２０を作製した。
まず、図１２Ａに示すように、比較例１と同様に、プリント配線板１２３上に、半導体素子１２５を実装した。１２１次いで、図１２Ｂに示すように、半導体素子１２５の対向する両辺１２５ａ，１２５ｂの脇に、粘度１．５Ｐａ・ｓの封止樹脂１２７を塗布した。
すると、図１２Ｃに示すように、導体１２２間の毛細管現象により、両辺直近のバンプ１２４周辺を、封止樹脂１２７により封止することに成功した。しかしながら、半導体素子１２５とプリント配線板１２３との間の隙間１２９が残り、封止樹脂１２７に空気が封入される形となり、半導体素子１２５の下方に気泡が混入する結果となった。【００８２】
これらの結果から、本発明によれば、機能素子が１５ｍｍ×１５ｍｍと大型であっても、封止樹脂中に気泡が混入することなく、機能素子と配線板との間、開口部、及びバンプ周辺を封止できることが確認された。
【産業上の利用可能性】
【００８３】
本発明によれば、大型の機能素子を搭載した場合であっても、気泡の混入確率が低減されたモジュールが得られる。
【図１】
2009044863.tif 000003
【図２】
2009044863.tif 000004
【図３】
2009044863.tif 000005
【図４】
2009044863.tif 000006
【図５】
2009044863.tif 000007
【図６Ａ】
2009044863.tif 000008
【図６Ｂ】
2009044863.tif 000009
【図６Ｃ】
2009044863.tif 000010
【図７Ａ】
2009044863.tif 000011
【図７Ｂ】
2009044863.tif 000012
【図８Ａ】
2009044863.tif 000013
【図８Ｂ】
2009044863.tif 000014
【図８Ｃ】
2009044863.tif 000015
【図９】
2009044863.tif 000016
【図１０Ａ】
2009044863.tif 000017
【図１０Ｂ】
2009044863.tif 000018
【図１０Ｃ】
2009044863.tif 000019
【図１０Ｄ】
2009044863.tif 000020
【図１１Ａ】
2009044863.tif 000021
【図１１Ｂ】
2009044863.tif 000022
【図１１Ｃ】
2009044863.tif 000023
【図１２Ａ】
2009044863.tif 000024
【図１２Ｂ】
2009044863.tif 000025
【図１２Ｃ】
2009044863.tif 000026
【国際調査報告】
2009044863.tif 000027
2009044863.tif 000028
2009044863.tif 000029
2009044863.tif 000030
2009044863.tif 000031
2009044863.tif 000032
2009044863.tif 000033
2009044863.tif 000034